(57)【要約】【課題】接点機構が絶縁性の基台から延びる固定接点と、駆動機構によって変位駆動される可動接点とを備え、それらの固定接点および可動接点がシールドボックス内に収容されて成る高周波リレーにおいて、低インピーダンスを実現し易くして、汎用性を高める。【解決手段】７５Ωの高インピーダンス用のシールドボックスでは平行平板であった側壁４７，４８を、５０Ωの低インピーダンス用のシールドボックス１２−２では、オン時の可動接点１３，１４の湾曲形状に沿う（倣っている）ように形成する。したがって、該シールド部材を交換するだけで、インピーダンスの異なる用途に使用することができ、汎用性を高めることができる。また、段差などによって近接させる方法に比べて、可動接点の湾曲形状に添っていることで、最近接点（可動接点の湾曲の頂部）付近でのシールド部材との間隔をむやみに小さくする必要はなく、所望とするインピーダンスが得易くなる。【選択図】図３
2008192405.tif 000002
【特許請求の範囲】
【請求項１】
接点機構に、その接点機構を駆動する駆動機構が近接配置されて成り、前記接点機構は、絶縁性の基台から延びる固定接点と、前記駆動機構によって変位駆動される可動接点とを備え、それらの固定接点および可動接点がシールド部材の内部に収容されて成り、複数のインピーダンスに兼用可能な高周波リレーにおいて、
少なくとも低インピーダンス用のシールド部材は、固定接点に対して、少なくとも可動接点が設けられない側が、該可動接点が固定接点に接触した状態での湾曲形状に沿うことを特徴とする高周波リレー。
【請求項２】
高インピーダンス用のシールド部材は、固定接点に対して、可動接点が設けられる側と設けられない側とで、固定接点に対する距離が相互に等しい平板状に形成されており、低インピーダンス用のシールド部材は、可動接点が設けられる側が前記平板状に形成されており、可動接点が設けられない側が前記湾曲形状に形成されていることを特徴とする請求項１記載の高周波リレー。
【請求項３】
中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる請求項１または２記載の高周波リレーにおいて、
前記低インピーダンス用のシールド部材は、共通接点部分に、前記湾曲形状の導電性部品がさらに組付けられることを特徴とする高周波リレー。
【請求項４】
中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる請求項１または２記載の高周波リレーにおいて、
前記シールド部材は、対称に２つの部分に分断されていることを特徴とする高周波リレー。
【請求項５】
前記接点機構と駆動機構とが相互に並列に配置されて成り、前記駆動機構は、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行うことを特徴とする請求項１〜４のいずれか１項に記載の高周波リレー。
【請求項６】
前記請求項１〜５のいずれか１項に記載の高周波リレーを用いることを特徴とするテレビジョンチューナ。
【請求項７】
前記請求項１〜５のいずれか１項に記載の高周波リレーを用いることを特徴とする無線中継装置。
【発明の詳細な説明】
【技術分野】
【０００１】
本発明は、テレビジョン放送などの高周波信号の切換えに用いられる高周波リレーならびにそれを用いる前記テレビジョンチューナおよび無線中継装置に関する。
【背景技術】
【０００２】
前記テレビジョンチューナには、前記高周波リレーが搭載される製品がある。たとえば、北米向けの製品では、地上波のテレビジョン信号とケーブルテレビの信号との切換を行うようになっている。また、携帯電話やテレビジョン放送の無線中継装置においても、複数のパワーアンプの内、故障が生じたものやメンテナンスを行うものを切離したり、またその切離しによるインピーダンスのずれを調整するスタブ切換えを行うために、前記高周波リレーが使用される。
【０００３】
そのような用途に使用される前記高周波リレーにおいて、前記テレビジョンチューナでは伝送線路のインピーダンスが７５Ωに設定されているのに対して、前記無線中継装置では５０Ωに設定されている。そこでこのようなインピーダンスの違いに容易に対応できるように、本件出願人は先に特許文献１を提案した。その従来技術では、固定接点および可動接点がシールド部材の内部に収容されて成る高周波リレーにおいて、シールド空間を形成する前記シールド部材と可動接点との内、いずれか一方の形状変更によって、インピーダンスをマッチングさせるというものである。
【０００４】
これによって、固定接点の端子ピッチ、したがって絶縁性の基台やそれに被せられるケーシングならびに接点機構および駆動機構等を変更することなく、前記のインピーダンスの異なる用途に使用可能となっている。
【特許文献１】特開２００１−１５５６１３号公報
【発明の開示】
【発明が解決しようとする課題】
【０００５】
上述の従来技術では、シールド部材や可動接点の形状変更によってインピーダンスを調整できるものの、小型化を進めるにあたって、それでは調整し難いケースも生じる。具体的には、上述の従来技術において、シールド部材による低インピーダンス化の対応では、同公報の図７で示すように該シールド部材に段差を設けたり、同公報の図１０で示すように折り返したりして、固定接点に接触して湾曲した可動接点に該シールド部材を接近させている。
【０００６】
これに対して、たとえば中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、可動接点が一方の個別接点側でシールド部材から離れると、他方の個別接点側でシールド部材に接近することになる。この場合、前述のような低インピーダンス化によって、最近接点（可動接点の湾曲の頂部）付近でのシールド部材との間隔が狭くなっていると、短絡する可能性もある。このため、可動接点、したがって駆動機構の位置精度を厳しくする必要がある。
【０００７】
本発明の目的は、所望とするインピーダンスを得易くすることができる高周波リレーならびにそれを用いるテレビジョンチューナおよび無線中継装置を提供することである。
【課題を解決するための手段】
【０００８】
本発明の高周波リレーは、接点機構に、その接点機構を駆動する駆動機構が近接配置されて成り、前記接点機構は、絶縁性の基台から延びる固定接点と、前記駆動機構によって変位駆動される可動接点とを備え、それらの固定接点および可動接点がシールド部材の内部に収容されて成り、複数のインピーダンスに兼用可能な高周波リレーにおいて、少なくとも低インピーダンス用のシールド部材は、固定接点に対して、少なくとも可動接点が設けられない側が、該可動接点が固定接点に接触した状態での湾曲形状に沿うことを特徴とする。
【０００９】
上記の構成によれば、接点機構に、その接点機構を駆動する駆動機構が近接配置されて成り、前記接点機構は絶縁性の基台から延びる固定接点と前記駆動機構によって変位駆動される可動接点とを備え、それらの固定接点および可動接点がシールド部材の内部に収容されて成り、複数のインピーダンスに兼用可能な高周波リレーにおいて、前記シールド部材は、前記可動接点の固定接点への接触時における該シールド部材と可動接点との隙間が異なることで、前記可動接点および固定接点が形成する内導体とシールド部材が形成する外導体とで構成される同軸線路のインピーダンスの異なるものが複数種類用意され、組立て時に、要求されるインピーダンスに適合するものが択一的に選択されて組付けられる。
【００１０】
そして、そのインピーダンスの違いを実現するにあたって、少なくとも低インピーダンス用のシールド部材は、固定接点に対して、可動接点が設けられない側が、該可動接点が固定接点に接触した状態での湾曲形状に沿う（倣っている）ように形成する。
【００１１】
したがって、固定接点の端子ピッチ、したがって前記絶縁性の基台やそれに被せられるケーシングならびに前記接点機構および駆動機構等を変更することなく、シールド部材を交換するだけで、インピーダンスの異なる用途に使用することができ、汎用性を高めることができる。また、段差などによって近接させる方法に比べて、可動接点の湾曲形状に添っていることで、最近接点（可動接点の湾曲の頂部）付近でのシールド部材との間隔をむやみに小さくする必要はなく、所望とするインピーダンスを容易に得ることができるとともに、良好なアイソレーションを確保することができる。
【００１２】
また、本発明の高周波リレーでは、高インピーダンス用のシールド部材は、固定接点に対して、可動接点が設けられる側と設けられない側とで、固定接点に対する距離が相互に等しい平板状に形成されており、低インピーダンス用のシールド部材は、可動接点が設けられる側が前記平板状に形成されており、可動接点が設けられない側が前記湾曲形状に形成されていることを特徴とする。
【００１３】
上記の構成によれば、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、一方の可動接点側の構成と他方の可動接点側の構成とが共通接点を中心として点対称となる。そこで、従来は前記一直線に対しても略線対称に構成されていたシールド部材を、可動接点が設けられない側で、前記湾曲形状によって可動接点に近付けるだけで、前記基台やケーシングなどの他の部品は何ら変更する必要はなく、低インピーダンス化することができる。一方、可動接点が設けられる側は、従来通りの間隔とすることで、アイソレーションを確保することができる。
【００１４】
また、可動接点が設けられる側とは反対側が平板状である場合、低インピーダンス用のシールド部材では、段差などで可動接点に近付けなければならず、最近接点（可動接点の湾曲の頂部）付近でのシールド部材との間隔は、前記湾曲形状の場合に比べて大幅に狭くする必要がある。一方、上述のような３接点のリレーでは、駆動機構の共通のカードに、相反動作する２つの可動接点が搭載されるので、可動接点が一方の個別接点側でシールド部材から離れると他方の個別接点側でシールド部材に接近し、短絡する可能性もある。したがって、前述のように最近接点付近でのシールド部材との間隔が狭い平板状に比べて、湾曲形状では、むやみに接近させなくても所望のインピーダンスを得ることができ、可動接点、したがって駆動機構の位置精度を緩和することができる。
【００１５】
こうして、上述のような３接点のリレーには本発明を好適に実施することができる。
【００１６】
さらにまた、本発明の高周波リレーは、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーにおいて、前記低インピーダンス用のシールド部材は、共通接点部分に、前記湾曲形状の導電性部品がさらに組付けられることを特徴とする。
【００１７】
上記の構成によれば、シールド部材を可動接点が固定接点に接触した状態での湾曲形状に沿わせるにあたって、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、中央の共通接点を２つの相反動作する可動接点で共有することになり、シールド部材において、一方の可動接点について、それが設けられない側を湾曲させようとしても、その部分には他方の可動接点が遮断時に退避することになり、前記湾曲形状に追従させることは困難になる。そこで、導電性の別部品を組付けて前記湾曲形状を実現することで、所望とするインピーダンスをより得易くすることができる。
【００１８】
また、本発明の高周波リレーは、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーにおいて、前記シールド部材は、対称に２つの部分に分断されていることを特徴とする。
【００１９】
上記の構成によれば、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、一方の可動接点側の構成と他方の可動接点側の構成とは、前記中央の共通接点に対して点対称となる。
【００２０】
したがって、前記シールド部材を対称に２つの部分に分断することで、組立精度は悪くなるものの、部品自体の加工性が向上し、シールド部材全体としての寸法精度を向上することができる。
【００２１】
さらにまた、本発明の高周波リレーは、前記接点機構と駆動機構とが相互に並列に配置されて成り、前記駆動機構は、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行うことを特徴とする。
【００２２】
上記の構成によれば、前記の構造の接点機構に好適な駆動機構を構成することができる。
【００２３】
また、本発明のテレビジョンチューナは、前記の高周波リレーを用いることを特徴とする。
【００２４】
さらにまた、本発明の無線中継装置は、前記の高周波リレーを用いることを特徴とする。
【００２５】
上記の構成によれば、高周波信号の切換えを行う高周波リレーにおいて、上述のようなインピーダンス調整可能で汎用性が高く、所望とするインピーダンスを取り易い本件高周波リレーをテレビジョンチューナや無線中継装置に用いることで、インピーダンスの差に拘わらず、本件高周波リレーを共用化することができ、好適である。
【発明の効果】
【００２６】
本発明の高周波リレーは、以上のように、接点機構に、その接点機構を駆動する駆動機構が近接配置されて成り、前記接点機構は絶縁性の基台から延びる固定接点と前記駆動機構によって変位駆動される可動接点とを備え、それらの固定接点および可動接点がシールド部材の内部に収容されて成り、複数のインピーダンスに兼用可能な高周波リレーにおいて、前記シールド部材には、前記可動接点の固定接点への接触時における該シールド部材と可動接点との隙間が異なることで、前記可動接点および固定接点が形成する内導体とシールド部材が形成する外導体とで構成される同軸線路のインピーダンスの異なるものを複数種類用意しておき、組立て時に、要求されるインピーダンスに適合するものを択一的に選択して組付けるようにし、さらに、前記インピーダンスの違いを実現するにあたって、少なくとも低インピーダンス用のシールド部材を、固定接点に対して、可動接点が設けられない側が、該可動接点が固定接点に接触した状態での湾曲形状に沿う（倣っている）ように形成する。
【００２７】
それゆえ、固定接点の端子ピッチ、したがって前記絶縁性の基台やそれに被せられるケーシングならびに前記接点機構および駆動機構等を変更することなく、シールド部材を交換するだけで、インピーダンスの異なる用途に使用することができ、汎用性を高めることができる。また、段差などによって近接させる方法に比べて、可動接点の湾曲形状に添っていることで、最近接点（可動接点の湾曲の頂部）付近でのシールド部材との間隔をむやみに小さくする必要はなく、所望とするインピーダンスを得易くすることができるとともに、良好なアイソレーションを確保することができる。
【００２８】
また、本発明の高周波リレーは、以上のように、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合に、一方の可動接点側の構成と他方の可動接点側の構成とが共通接点を中心として点対称となるので、従来は前記一直線に対しても略線対称に構成されていたシールド部材を、可動接点が設けられない側だけを前記湾曲形状によって可動接点に近付けて低インピーダンス化する。また、可動接点が設けられる側とは反対側が平板状である場合、低インピーダンス用のシールド部材では、段差などで可動接点に近付けなければならず、最近接点（可動接点の湾曲の頂部）付近でのシールド部材との間隔は、前記湾曲形状の場合に比べて大幅に狭くする必要があり、湾曲形状では、むやみに接近させなくても所望のインピーダンスを得ることができ、可動接点、したがって駆動機構の位置精度を緩和することができる。
【００２９】
それゆえ、上述のような３接点のリレーには本発明を好適に実施することができる。
【００３０】
さらにまた、本発明の高周波リレーは、以上のように、シールド部材を可動接点が固定接点に接触した状態での湾曲形状に沿わせるにあたって、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、中央の共通接点を２つの相反動作する可動接点で共有することになり、シールド部材において、一方の可動接点について、それが設けられない側を湾曲させようとしても、その部分には他方の可動接点が遮断時に退避することになり、前記湾曲形状に追従させることは困難になる。
【００３１】
それゆえ、導電性の別部品を組付けて前記湾曲形状を実現することで、所望とするインピーダンスをより得易くすることができる。
【００３２】
また、本発明の高周波リレーは、以上のように、中央に共通接点が、その両側にそれぞれ個別接点が、一直線上に配置されて成る３つの固定接点を有し、一方の可動接点が前記一直線の一方の側に、他方の可動接点が他方の側に配置され、２つの可動接点が共通のカードで駆動され、一方の可動接点がノーマリーオン、他方の可動接点がノーマリーオフとなる高周波リレーの場合、一方の可動接点側の構成と他方の可動接点側の構成とは、前記中央の共通接点に対して点対称となるので、前記シールド部材を対称に２つの部分に分断する。
【００３３】
それゆえ、組立精度は悪くなるものの、部品自体の加工性が向上し、シールド部材全体としての寸法精度を向上することができる。
【００３４】
さらにまた、本発明の高周波リレーは、以上のように、前記接点機構と駆動機構とが相互に並列に配置されて成り、前記駆動機構が、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行う。
【００３５】
それゆえ、前記の構造の接点機構に好適な駆動機構を構成することができる。
【００３６】
また、本発明のテレビジョンチューナおよび無線中継装置は、以上のように、高周波信号の切換えを行う高周波リレーにおいて、上述のようなインピーダンス調整可能で汎用性が高く、所望とするインピーダンスを取り易い本件高周波リレーをテレビジョンチューナや無線中継装置に用いる。
【００３７】
それゆえ、インピーダンスの差に拘わらず、本件高周波リレーを共用化することができ、好適である。
【発明を実施するための最良の形態】
【００３８】
［実施の形態１］
図１は、本発明の実施の一形態に係る高周波リレー１の全体構造を示す分解斜視図である。この高周波リレー１は、大略的に、接点機構１１に、その接点機構１１を駆動する駆動機構２１が並列に配置されて構成されている。
【００３９】
前記接点機構１１は、シールドボックス１２内に可動接点１３，１４が設けられ、その可動接点１３，１４が前記駆動機構２１によって参照符号Ｘ方向に変位駆動されることで、固定接点１５，１６；１６，１７と接触／離反する相反動作を行い、高周波信号の切換えを行う。したがって、前記可動接点１３，１４が中心導体、シールドボックス１２が外部導体とした同軸線路を構成する。
【００４０】
注目すべきは、本実施の形態では、前記シールドボックス１２として、図２で拡大して示す７５Ωの高インピーダンス用のシールドボックス１２−１と、図３で拡大して示す５０Ωの低インピーダンス用のシールドボックス１２−２とが択一的に使用されて、それぞれテレビジョンチューナと、無線中継装置とに使用されることである。図２（ａ）および図３（ａ）は前記シールドボックス１２−１，１２−２単体での分解斜視図であり、図２（ｂ）および図３（ｂ）は前記シールドボックス１２−１，１２−２に前記固定接点１５，１６，１７および可動接点１３，１４を配置した状態での分解斜視図であり、図２（ｃ）および図３（ｃ）は図２（ｂ）および図３（ｂ）の平面図である。図４は、５０Ωの低インピーダンス用のシールドボックス１２−２の展開図である。
【００４１】
前記可動接点１３，１４は、前記駆動機構２１によって変位駆動される駆動部材１８，１９にそれぞれ保持されている。前記各固定接点１５，１６，１７は、前記シールドボックス１２−１，１２−２の底部に形成された開口１２ｈ，１２ｉ，１２ｊをそれぞれ遊挿して該シールドボックス１２−１，１２−２内で電気的に絶縁されて一直線上に立設され、前記可動接点１３，１４とは反対側が、基台２０の裏面から突出して、端子Ｐ１，Ｐ２，Ｐ３となる。
【００４２】
図２（ｃ）および図３（ｃ）で示すように、中央の固定接点１６（端子Ｐ２）は、前記可動接点１３，１４の何れとも接触できる共通接点となる。一方、両端の固定接点１５，１７（端子Ｐ１，Ｐ３）は、それぞれ前記可動接点１３，１４とだけ接触できる個別接点となる。図２（ｃ）および図３（ｃ）の例では、固定接点１７は駆動機構２１の非駆動時に可動接点１３が接触して固定接点１６に接続されるノーマリーオンの接点となり、固定接点１５は駆動機構２１の非駆動時に可動接点１４が離反して固定接点１６から遮断されるノーマリーオフの接点となっている。
【００４３】
前記シールドボックス１２−１，１２−２には、その長手方向の両端および中央位置で、固定接点１５，１６，１７から離反している際の可動接点１３，１４をグランドに接続し、アイソレーションを確保するための固定接点１２ａ，１２ｂ，１２ｃが設けられているとともに、前記各固定接点１５，１６，１７の端子Ｐ１，Ｐ２，Ｐ３間に、グランド端子１２ｄが設けられている。また、シールドボックス１２−１，１２−２は、上述のように可動接点１３，１４を収納する関係上、隙間無く、できるだけ大面積に形成されることが望ましいが、前記駆動部材１８，１９との干渉を避けるために、切り欠き１２ｅが形成されている。
【００４４】
前記駆動機構２１は、電磁石２２と変位部材２３とを備えて構成される。電磁石２２は、コイル２４の巻回されたボビン２５内に鉄心２６が挿通されるとともに、その鉄心２６の一方の端部２６ａと他方の端部２６ｂとの間に、継鉄２７によって磁路が形成されて構成されている。前記コイル２４の各端部は、外部から励磁電流が与えられる端子２８，２９にそれぞれ接続されている。
【００４５】
一方、前記変位部材２３は、前記駆動部材１８，１９を介して可動接点１３，１４を支持するカード３１と、前記カード３１の一端に設けられる磁石３２と、その磁石３２の両端にそれぞれ接触し、前記鉄心２６の一方の端部２６ａを挟み込む一対の接極子３３，３４と、前記カード３１の他端から延びる一対の平衡ばね３５，３６と、その平衡ばね３５，３６の他端を前記基台２０に取付ける平衡ばね保持板３７とを備えて構成される。したがって、前記電磁石２２が消磁／励磁することで、カード３１は、平衡ばね３５，３６部分が変形して前記Ｘ方向に変位し、前記可動接点１３，１４を変位駆動することができる。このような構造の駆動機構２１を用いることで、前記の構造の接点機構１１に好適な駆動機構を構成することができる。
【００４６】
前記基台２０内に、前記固定接点１５，１６，１７、シールドボックス１２（１２−１，１２−２）および電磁石２２を収納し、電磁石２２上に変位部材２３を搭載した後、樹脂筐体３８が被せられる。
【００４７】
上述のように構成される高周波リレー１において、注目すべきは、図２で拡大して示す７５Ωの高インピーダンス用のシールドボックス１２−１では、固定接点１５，１６，１７を外囲する側壁４１〜４６が、前記固定接点１５，１６，１７に対して、可動接点１３，１４が設けられる側と設けられない側とで、固定接点１５，１６，１７に対する距離が相互に等しい平板状に形成されているのに対して、図３で拡大して示す５０Ωの低インピーダンス用のシールドボックス１２−２では、前記固定接点１５，１６，１７に対して、可動接点１３，１４が設けられない側の側壁４７，４８が、該可動接点１３，１４が固定接点１５，１６，１７に接触した状態での湾曲形状に沿う（倣っている）ように形成され、該可動接点１３，１４に対する距離（隙間）が短くなっていることである。前記シールドボックス１２−２において、可動接点１３，１４が設けられる側の側壁４３，４４は前記シールドボックス１２−１と同一の従来通りの距離（間隔）で平板状に形成されており、アイソレーションを確保することができる。
【００４８】
すなわち、前述のように中央に共通接点１６が、その両側にそれぞれ個別接点１５，１７が、一直線Ｌ上に配置されて成る３つの接点１５，１６，１７を有し、一方の可動接点１３が前記一直線の一方Ｌ１の側に、他方の可動接点１４が他方Ｌ２の側に配置され、２つの可動接点１３，１４が共通のカード３１で駆動され、一方の可動接点１４がノーマリーオン、他方の可動接点１３がノーマリーオフとなる接点機構１１の場合、一方の可動接点１３側の構成と他方の可動接点１４側の構成とが共通接点１６を中心として点対称となる。そこで、図２で示すような７５Ωの高インピーダンス用のシールドボックス１２−１では、従来と同様に前記一直線Ｌに対しても略線対称に構成するのに対して、図３で示すような５０Ωの低インピーダンス用のシールドボックス１２−２では、前記線対称ではなく、可動接点１３，１４が設けられない側の側壁４７，４８は、前記湾曲形状によって可動接点１３，１４に近付ける。
【００４９】
図５〜図７は、本件発明者の実験結果を示すグラフであり、挿入損失およびＶＳＷＲ（Voltage Standing Wave Ratio：反射係数）を表す。図５は７５Ωの系統に７５Ωの高インピーダンス用のシールドボックス１２−１を使用した、すなわち適正なインピーダンスの高周波リレーを挿入した場合を表し、図６は５０Ωの系統に７５Ωの高インピーダンス用のシールドボックス１２−１を使用した、すなわち不適正なインピーダンスの高周波リレーを挿入した場合を表し、図７は５０Ωの系統に５０Ωの低インピーダンス用のシールドボックス１２−２を使用した、すなわち適正なインピーダンスの高周波リレーを挿入した場合を表す。
【００５０】
これらの図５〜図７を比較して明らかなように、適正なインピーダンスの高周波リレーを使用することで、挿入損失および反射も少なくなっており、図５で示す７５Ωの特性に、図７で示す５０Ωの特性が遜色の無いことが理解される。
【００５１】
このように構成することで、固定接点１５，１６，１７の端子ピッチ、したがって前記絶縁性の基台２０やそれに被せられる樹脂筐体３８ならびに前記接点機構１１および駆動機構２１等を変更することなく、シールド部材１２−１と１２−２とを択一的に使用するだけで、インピーダンスの異なる用途に適応させることができ、汎用性を高めることができる。
【００５２】
また、前記特許文献１の段差や折返しなどによって近接させる方法に比べて、可動接点１３，１４の湾曲形状に添っていることで、最近接点（可動接点の湾曲の頂部＝駆動部材１８，１９）付近でのシールド部材１２−２との間隔をむやみに小さくする必要はなく、所望とするインピーダンスを得易くすることができる。特にこのような３つの固定接点１５，１６，１７を有し、共通のカード３１で２つの可動接点１３，１４が相反動作される高周波リレー１の場合、可動接点１３，１４が一方の個別接点、たとえば１５側でシールド部材１２−１，１２−２から離れると、他方の個別接点、すなわち１７側でシールド部材１２−１，１２−２に接近するので、同じインピーダンスでも均一に距離を確保して前記最近接点付近での間隔を広くできる湾曲形状では、短絡の可能性が小さく、可動接点１３，１４、したがって駆動機構２１の位置精度を緩和することができるとともに、前記均一な距離で良好なアイソレーションを確保することができ、本発明を好適に実施することができる。
【００５３】
なお、接点機構１１のスペースに余裕がある場合には、前記低インピーダンス用のシールド部材１２−２に比べて間隔が大きくなり、また平板状のシールド部材１２−１に比べて湾曲している分、広いスペースが必要になるが、前述のように所望とするインピーダンスが得易くなるために、該高インピーダンス用のシールド部材１２−１でも前記湾曲形状となっていてもよい。また、固定接点１５，１６，１７から離反している際に、可動接点１３，１４が接触する該シールド部材１２−１，１２−２の可動接点１３，１４が設けられる側も、接地性を損なわない程度に湾曲していてもよい。
【００５４】
図８は、上述のように構成される高周波リレー１を用いて構成される高周波切換え装置５１の上蓋を外して示す斜視図である。この高周波切換え装置５１は、金属筐体５２内に前記高周波リレー１およびプリント基板５４を備えるとともに、金属筐体５２に高周波コネクタ５５，５６，５７が取付けられて構成され、テレビジョンチューナに搭載されて、地上波のテレビジョン放送の信号と、ケーブルテレビの信号との切換えに用いられる。前記プリント基板５４には、必要に応じて、アンプやインピーダンスマッチングのための素子などが設けられる。
【００５５】
この図８の例では、高周波コネクタ５５，５６はＦ型コネクタであり、高周波コネクタ５７はピン型コネクタであり、高周波コネクタ５５，５６の中心導体は前記高周波リレー１の固定接点１５，１７（端子Ｐ１，Ｐ３）に接続され、高周波コネクタ５７の中心導体は前記高周波リレー１の固定接点１６（端子Ｐ２）に接続される。したがって、前記高周波コネクタ５５，５６の何れか一方からの入力信号を前記高周波リレー１によって選択して高周波コネクタ５７へ出力し、または高周波コネクタ５７からの入力信号を前記高周波リレー１によって高周波コネクタ５５，５６の何れか一方へ出力する。
【００５６】
一方、無線中継装置では、送信信号を複数の経路に分岐して、各経路に設けたアンプで増幅した後、混合し、アンテナに入力するようになっており、前記高周波リレー１は、その分岐や混合の部分に用いられ、故障したりメンテナンスを行うアンプを切離し可能とするために使用される。或いは、その切離しによって伝送線路のインピーダンスが変化してしまうのを防止するためのスタブ切換えを行うために使用される。
【００５７】
このようなテレビジョンチューナや無線中継装置に、インピーダンスの差に拘わらず、本件高周波リレー１は、シールド部材１２−１と１２−２とを択一的に使用するだけで共用化することができ、好適である。
【００５８】
［実施の形態２］
図９は本発明の実施の他の形態に係る高周波リレーにおけるシールドボックス５２の構造を示す図であり、図９（ａ）は斜視図であり、図９（ｂ）は接点機構１１の平面図である。このシールドボックス６２は、前述のシールドボックス１２−２に類似し、対応する部分には同一の参照符号を付して示し、その説明を省略する。注目すべきは、このシールドボックス６２では、前述のシールドボックス１２−２の構成において、共通接点１６部分に、湾曲形状の導電性部品６３がさらに組付けられていることである。
【００５９】
したがって、シールド部材６２を可動接点１３，１４が固定接点１５，１６，１７に接触した状態での湾曲形状に沿わせるにあたって、前述のように３つの固定接点１５，１６，１７を有し、２つの可動接点１３，１４がそれを挟んで設けられて共通のカード３１で駆動される接点機構１１の場合に、図３で示すシールドボックス１２−２では、円弧状に撓む可動接点１３，１４に対して、駆動部材１８，１９から個別接点１５，１７側、すなわち外方側の半分の部分は対応した側壁４７，４８が湾曲形状に形成されるけれども、共通接点１６側、すなわち内方側の半分の部分に対応した側壁４２，４５は、他方の可動接点１４，１３が遮断時に退避することになり、高インピーダンス用のシールドボックス１２−１と同様に、平板状に形成されるのに対して、別途に前記導電性部品６３を組付けて前記湾曲形状を実現することで、所望とするインピーダンスがより得易くなる。
【００６０】
［実施の形態３］
図１０は本発明の実施のさらに他の形態に係る高周波リレーにおけるシールドボックス７２の構造を示す図であり、図９（ａ）は斜視図であり、図９（ｂ）は接点機構１１の平面図である。このシールドボックス７２は、前述のシールドボックス１２−２に類似し、対応する部分には同一の参照符号を付して示し、その説明を省略する。注目すべきは、このシールドボックス７２では、前述のように３つの固定接点１５，１６，１７を有し、２つの可動接点１３，１４がそれを挟んで設けられて共通のカード３１で駆動される接点機構１１の場合に、一方の可動接点１３側の構成と他方の可動接点１４側の構成とは前記中央の共通接点１６に対して点対称となるので、対称に２つの部分７２−１，７２−２に分断されていることである。
【００６１】
したがって、組立精度は悪くなるものの、部品自体の加工性が向上し、シールド部材７２全体としての寸法精度を向上することができる。
【図面の簡単な説明】
【００６２】
【図１】本発明の実施の一形態に係る高周波リレーの全体構造を示す分解斜視図である。
【図２】図１で示す高周波リレーにおける高インピーダンス用のシールドボックスを拡大して示す図である。
【図３】図１で示す高周波リレーにおける低インピーダンス用のシールドボックスを拡大して示す図である。
【図４】図３で示すシールドボックスの展開図である。
【図５】本件発明者の実験結果を示すグラフであり、７５Ωの系統に７５Ωの高インピーダンス用のシールドボックスを使用した場合の挿入損失およびＶＳＷＲを表す。
【図６】本件発明者の実験結果を示すグラフであり、５０Ωの系統に７５Ωの高インピーダンス用のシールドボックスを使用した場合の挿入損失およびＶＳＷＲを表す。
【図７】本件発明者の実験結果を示すグラフであり、５０Ωの系統に５０Ωの低インピーダンス用のシールドボックスを使用した場合の挿入損失およびＶＳＷＲを表す。
【図８】図１〜図７で示す高周波リレーを搭載する高周波切換え装置の上蓋を外して示す斜視図である。
【図９】本発明の実施の他の形態に係る高周波リレーにおけるシールドボックスの構造を示す図である。
【図１０】本発明の実施のさらに他の形態に係る高周波リレーにおけるシールドボックスの構造を示す図である。
【符号の説明】
【００６３】
１    高周波リレー
１１    接点機構
１２，１２−１，１２−２，６２，７２    シールドボックス
１２ａ，１２ｂ，１２ｃ    固定接点
１２ｄ  グランド端子
１２ｅ  切り欠き
１３，１４    可動接点
１５，１６，１７    固定接点
１８，１９    駆動部材
２０    基台
２１    駆動機構
２２    電磁石
２３    変位部材
２４    コイル
２５    ボビン
２６    鉄心
２７    継鉄
３１    カード
３２    磁石
３３，３４    接極子
３５，３６    平衡ばね
４１，４２，４３，４４，４５，４６，４７，４８    側壁
５１    高周波切換え装置
５２    金属筐体
５４    プリント基板
５５，５６，５７    高周波コネクタ
６３    導電性部品
７２−１，７２−２    部分
Ｐ１，Ｐ２，Ｐ３    端子
【図１】
2008192405.tif 000003
【図２】
2008192405.tif 000004
【図３】
2008192405.tif 000005
【図４】
2008192405.tif 000006
【図５】
2008192405.tif 000007
【図６】
2008192405.tif 000008
【図７】
2008192405.tif 000009
【図８】
2008192405.tif 000010
【図９】
2008192405.tif 000011
【図１０】
2008192405.tif 000012